(57)【要約】【課題】特定機能を有し所定形状にした物を自在に埋めこみかつ取り替えできる靴の中敷を提供することを課題とする。【解決手段】中敷の所定部分に凹状部分を設け、該凹状部分を覆う覆いを設け、該凹状部分と該覆いの間に所定形状の充填物を自在に出入・挟持できる機構を採用した。また、凹状部分の周辺と覆い外周部相互の拘止に、凹状部分の周辺の中敷の部分と覆い外周部相互の一部を固着し、一部を鉤止部材付ファスナーを用いて覆いを開閉・拘止自在にした。さらに、中敷のかかと部分の底部に空気溜を設け、該空気溜から凹状部分に送気用溝を設けて、送気によって所定形状充填物の効果が一層発揮できるようにした。【選択図】    図１
2005143653.tif 000002
【特許請求の範囲】
【請求項１】
靴に入れて使用する中敷において、中敷の所定部分を凹状にし、該凹状の部分を覆う覆いを設け、該凹状の部分と該覆いの間に所定形状の充填物を自在に出入・挟持できる機構としたこと、を特徴とする中敷。
【請求項２】
請求項１記載の発明において、凹状の部分の周辺と覆い外周部相互の拘止に、凹状の部分の周辺の中敷の部分と覆い外周部相互の一部を固着し、一部を鉤止部材付ファスナーを用いて覆いを開閉・拘止自在にしたこと、を特徴とする中敷。
【請求項３】
中敷のかかと部分の底部に空気溜を設け、該空気溜から凹状の部分に送気用溝を設けたこと、を特徴とする請求項１および請求項２記載の中敷。
【発明の詳細な説明】
【技術分野】
【０００１】
靴に入れて使用する中敷に関する。
【背景技術】
【０００２】
靴に入れて使用する中敷の中には、防臭効果・防菌効果・疲労回復機能等の特定の効果・機能（以下適宜「特定機能」と総称する。）を持たせているものがある。
しかし、これらは靴の履き心地を損なうことがないようにとの観点から、中敷全体に加工したもの、特殊な薬用効果を持たせた素材あるいは特殊な加工を施した素材を利用して中敷全体に使用した場合が多く、また上述の効果・機能の継続性が短命のものが多い。
また、特定機能、例えば疲労回復機能、を図る目的の中敷においても、歩行時に違和感が生じないように薄く作られた品物を中敷の特定部位に両面接着テープ等を利用してその都度取り付けるため剥がれ易く保持性に欠けるものが多い。
【０００３】
したがって、特定機能を発揮するが製品の性質上厚みが厚くなる物、例えば温熱用懐炉、を靴中で使用する場合には、厚さ・形状等に起因して、歩行時に違和感を覚え履き心地を悪くする・歩行疲労が増大するあるいは足に豆ができやすい等の問題が生じることから、それを単に中敷の下部あるいは上部等に置いて使用しているのが現状である。
また、上記のような使用の場合、上述のごとき物は、靴あるいは中敷と足との間の介在物となることから、一回り大きな靴を調達する必要が生ずる場合もある。
さらに、歩行しない、例えば冬季の釣り・屋外競技場で観戦する等の、場合は使用に耐えるものの、歩行する場合には、介在物は靴あるいは中敷に固定されていないことから、介在物が充分機能を発揮できないばかりか、歩行が困難になる・疲労が増大する・足に豆ができる等の問題が生ずる。
このような理由もあって、歩行を損なうことなく、特定機能を有するものを靴中に入れて積極的に利用できる手段は従来から見当たらない。
【０００４】
【非特許文献１】存在しないと思われます。
【特許文献１】特許電子図書館の公報テキスト検索（公開特許公報）で、以下の条件で検索しましたが、該当すると思料できるものはありません。                                        「要約＋請求の範囲」    「靴  中敷  中底」                          ＡＮＤ  「要約＋請求の範囲」    「凹  くぼみ  窪み  へこみ」                ＡＮＤ  「ＩＰＣ」              「A43B17/?」                                発見された件数は、８３件
【発明の開示】
【発明が解決しようとする課題】
【０００５】
本願発明は、上記のような事情のもとで考えだされたもので、特定機能を有し所定形状にした物（以下「所定形状充填物」という。）を、積極的に中敷に埋めこみかつ自在に取り替え可能にすることによって、履き心地を損なうことなく、歩行に支障を生ずることなく、所定形状充填物の有する特定機能を発揮させ続けて利用しうることを可能にする中敷を提供することを課題とする。
【課題を解決するための手段】
【０００６】
そこで、本願発明は、中敷の所定部分に所定形状充填物の形状に見合った凹状の部分（以下適宜「凹状部分」という。）を設け、さらに所定形状充填物を覆う覆いを設け、所定形状充填物を自在に出入・挟持できる機構とした。
【０００７】
さらに、凹状部分の周辺と覆い外周部の相互の拘止に、凹状部分の周辺の中敷の部分と覆い外周部相互の一部を固着し、一部を鉤止部材付ファスナーを用いて覆いを開閉・拘止自在にして、所定形状充填物の出入を簡易にすると共に所定形状充填物が移動できないようにした。
【０００８】
また、中敷のかかと部分の底部に空気溜を設け、該空気溜から凹状部分に送気用溝を設けて、所定形状充填物が有する特定機能が一層発揮できるようにした。
【発明の効果】
【０００９】
本願発明は、中敷の所定部分に設けた凹状部分に、所定形状充填物を埋めこみ挟持する状態となることから、靴を着用したときにも、また歩行時にも違和感が生じにくいことから履き心地を損なうことが少ない。
【００１０】
また、中敷の厚さに相当する凹状としたことから、厚みのある所定形状充填物でも利用できる。
【００１１】
さらに、凹状部分を覆う覆いを設けたことから、所定形状充填物は凹状部分に埋めこまれ挟持された状態となり、歩行時にも、凹状部分から離脱することは殆ど無く、また、所定形状充填物を随時取り替えることが容易である。
【００１２】
また、凹状部分の周辺と覆い外周部相互の拘止に、凹状部分の周辺の中敷の部分と覆い外周部相互の一部を固着し、一部を鉤止部材付ファスナーを用いて覆いを開閉・拘止自在にしたことから、使用中は所定形状充填物は拘止されて離脱することは全くなくなり、かつ、所定形状充填物は移動できないことから凹状部分になじんで、歩行時に違和感がなくなる。
【００１３】
所定形状充填物を使用しない通常の場合は、中敷に付属する芯材と同材質の所定形状物を挿入して使用し、特定の効果・機能を利用する場合は、特定の効果・機能を有する物質、例えば温熱用懐炉・水虫防止薬剤・防臭薬剤等、を充填剤として所定形状充填物として使用し、また運動機能性を高めようとする場合は、クッション性等の運動機能性の良い素材からなるものを所定形状物として使用することにより、このような多用途の用にも１組の中敷でオールシーズン対応することができる。
【００１４】
また、所定形状充填物は空気が供給されて機能を発揮するものが多く、このため中敷の底部にかかと部分から凹状部分に送気用溝を設けて、歩行時に先に着地するかかとから凹状部分に送気を可能にしたことから、所定形状充填物の機能が一層発揮できるようになった。
【発明を実施するための最良の形態】
【００１５】
本願発明を実施した中敷の一例を、図１（実施例１）および図６（実施例２）に示す。
実施例では、爪先部分に本願発明を適用した例を示すが、本願発明の適用範囲はそれにとどまらず、土踏まず部分・かかと部分等足裏の如何なる部分にも適用できるものである。
【００１６】
図１および図６は共に、中敷を底面から見た斜視図であり、図２は、実施例１の中敷の縦断面図である。
中敷は、芯材１０に上面材１４が接着された物を素材とする。
芯材の素材としては、発泡性・クッション性のある合成樹脂材が使用され、例えばＥ.Ｖ.Ａ.(Ethylene-Vinyl-Acetate Copolymer, エチレン―酢酸ビニール共重合体)が現今多用されている。
上面材としては、一般には鹿の子地と言われる鹿の子織りの布地が使用されている。
なお、本願発明の中敷は、足側面から後方にかけて折返し（図２中に２点鎖線で図示）が設けられている。
【００１７】
中敷は、まず、芯材１０となる素材は足型に切断された後、所定の金型で加熱されながら折返しおよび空気溜１８・送気用溝１９・その他の溝等の加工が施される。
次に、芯材の所定部分、例えば爪先部分、が、所定形状充填物５０の形状に相応した凹状部分１１となるように金型を用いて抜き落とされる。抜き落とされた凹状部分相当品は上面材１４と接着しないように離型・剥離処理が施された後、芯材に嵌めこまれて、芯材に上面材が接着される。
嵌めこまれた凹状部分相当品は取り外され、上面材の凹状部分には、径1.5mm 程度の通気用の小孔１５が格子状に 10mm 程度の間隔で開孔される（図４）。
その後、凹状部分の対向面に、不織布または布地製の覆い２０が取り付けられる。
なお、抜き落とされて離型・剥離処理が施された凹状部分相当品は、中敷に付属する所定形状物として使用される。
【００１８】
図３は、実施例１の中敷の底面をみた俯瞰図であって、所定形状充填物５０を挿入した後の、覆い２０を閉じる前の状況を示す図である。
覆いの周辺の一部は、芯材１０を介して上面材１４（図２）とポケット状にミシンステッチ３１で示すように縫製され、所定形状充填物を挟持するようになっている。なお、縫製の替りに接着剤で接着してもよく、また熱を加えて溶着してもよい。
【００１９】
さらに、必要に応じ、上面材１４あるいは芯材１０と覆い２０の周辺の一部に、通称マジックテープ（登録商標）と言われる鉤止部材付ファスナー１６および２６が縫製あるいは接着・溶着で取り付けられる（図１、図２、図３）。
これにより、上面材あるいは芯材と覆いとが自在に開閉・拘止されるようになることから、所定形状充填物５０の出入が容易になるとともに所定形状充填物が移動・離脱しなくなる。なお、本願発明の実施例では、上面材あるいは芯材に鉤止部材付ファスナーの鉤部材側を取り付けているが、ループ材側を取り付けてもよい。
【００２０】
図３では、中敷の底部に、１個の空気溜１８と３条の送気用溝１９を設けた状況を示しているが、空気溜と送気用溝の個数は任意でよい。図４は、中敷の上面を示す俯瞰図で、鉤止部材付ファスナー１６を想像線としての破線で示している。
空気溜に溜められた空気は、歩行時の着地によって送気用溝を介して所定形状充填物５０に供給され、小孔１５を通じて足裏に流出するようになっている。
特に、温熱用懐炉等を所定形状充填物として使用した場合には、その効果を発揮するには空気が必要であることから、空気溜・送気用溝による適度の送気は極めて効果的である。
【００２１】
図５は、実施例１の中敷に、所定形状充填物５０を出入する状況を示す斜視図であるが、図示のごとく、所定形状充填物を凹状部分１１に出し入れ・挟持することは極めて容易である。
【００２２】
図６は、実施例２の中敷を示す斜視図である。
実施例１では、芯材１０と覆い２０とはポケット状となるように両者を縫製等で固着したが、実施例２においては、芯材と覆い４０とを爪先から扉状に開閉できるように両者を縫製等し、両者を拘止するために鉤止部材付ファスナーを芯材および覆い双方の周辺部に使用したものである。
この場合は、中敷を裏返すことなく、中敷の上面（上面材側）から所定形状充填物５０を出入することができる。
もちろん、安価に供給するために鉤止部材付ファスナーを省略することもできる。
【００２３】
実施例２の場合で、厚めの鉤止部材付ファスナーを使用する場合には、芯材１０の所定部分を凹状加工しないで切り落として覆い４０を取り付けることにより、鉤止部材付ファスナーの厚さを利用して、芯材の所定部分を凹状加工にしないで凹状部分と同様の機能を有するものとして利用することもできる。
【産業上の利用可能性】
【００２４】
本願発明は、従来から使用されてきている靴の中敷に、凹状部分と覆いを設け、その間に所定形状充填物を自在に出入・挟持できる機構としたものであるから、中敷としての生産が容易であり、生産コストの上昇も軽微であることから産業上の利用可能性は極めて高いものである。
【００２５】
また、中敷に凹状部分を設けてその形状に相応した所定形状充填物を埋めこむように挟持することとしたことから、靴の履き心地を損なうことなく、特定の機能・薬用効果を有する所定形状充填物を使用することによって温熱・歩行疲労軽減・薬用等の効果を発揮させることが可能であり、健康・医療関係の産業面でも利用の可能性も高いものである。
さらに、本願発明は、爪先部分のみならず土踏まず部分・かかと部分等の足裏の如何なる部分にも適用できるものであるから、健康・医療関係の分野でも貢献できるものである。
【００２６】
また、所定形状充填物を容易に取り替えて使用できることから、多用途の機能に対応できるものであり、所定形状充填物の充填物質に関する多くの産業分野においても役立つものである。
【図面の簡単な説明】
【００２７】
【図１】実施例１の中敷を底面から見た斜視図である。
【図２】実施例１の中敷の縦断面図である。
【図３】実施例１の中敷の底面をみた俯瞰図であって、所定形状充填物を挿入して、覆いを封止する前の状況を示す図である。
【図４】実施例１の中敷の上面を示す俯瞰図である。
【図５】実施例１の中敷に、所定形状充填物を出入する状況を示す斜視図である。
【図６】実施例２を示す斜視図である。
【符号の説明】
【００２８】
１０    芯材
１１    凹状部分
１４    上面材
１５    小孔
１６    鉤止部材付ファスナー（鉤部材側）（マジックテープ凸側）
１８    空気溜
１９    送気用溝
２０    覆い（実施例１)
２６    鉤止部材付ファスナー（ループ材側）（マジックテープ凹側）
３１    ミシンステッチ
４０    覆い（実施例２）
５０    所定形状充填物
【図１】
2005143653.tif 000003
【図２】
2005143653.tif 000004
【図３】
2005143653.tif 000005
【図４】
2005143653.tif 000006
【図５】
2005143653.tif 000007
【図６】
2005143653.tif 000008